(57)【特許請求の範囲】
【請求項１】
電子弁（１）用の弁コアであって、
該弁コアは、
弁ヘッド（２）と、
可動子（３）と、を備え、前記弁ヘッド（２）および前記可動子（３）はガイドロッド（７）によって互いに接続されており、
弁ヘッド（２）は、開口を有するプレート状部分を有しており、
前記ガイドロッド（７）には、先端部と本体部との間にこれらよりも小径の小径部が形成されており、該先端部と該小径部の少なくとも一部が、前記弁ヘッド（２）の開口を通って該本体部とは反対側に突出しており、
前記ガイドロッド（７）は、スナップリング（２５）によって前記弁ヘッド（２）に接続されており、前記スナップリング（２５）は前記弁ヘッド（２）に射出成形されており、前記ガイドロッド（７）の軸方向および前記ガイドロッド（７）の半径方向の両方において前記スナップリング（２５）と前記ガイドロッド（７）との間に間隙が残されており、
前記スナップリング（２５）は、鋼材料から形成されており、前記スナップリング（２５）および前記弁ヘッド（２）は、一体的に射出成形されており、
前記スナップリング（２５）は、前記ガイドロッド（７）の前記小径部において該ガイドロッド（７）を包囲している、
ことを特徴とする、電子弁（１）用の弁コア。
【請求項２】
前記ガイドロッド（７）および前記可動子（３）は、締りばめによって互いに接続されている、請求項１記載の弁コア。
【請求項３】
電子弁（１）であって、
該電子弁（１）は、請求項１又は２記載の弁コアを備え、前記電子弁（１）は、
上側ステータ（１０）および下側ステータ（１１）と、
ガイドロッド（７）を案内するための上側軸受（２２）および下側軸受（２３）と、
弁ヘッド（２）を付勢する弾性構成部材（４）と、
可動子（３）の周囲を包囲するスリーブ（８）と、
該スリーブ（８）を少なくとも部分的に包囲するボビン（５）と、
該ボビン（５）に巻き付けられたコイル（６）と、
をさらに備えることを特徴とする、電子弁（１）。
【請求項４】
前記上側軸受（２２）は、前記上側ステータ（１０）と締りばめ接続されているのに対し、前記下側軸受（２３）は、前記スリーブ（８）と締りばめ接続されている、請求項３記載の電子弁。
【請求項５】
前記上側軸受（２２）および前記下側軸受（２３）は、銅ベースの粉末冶金学的元素から形成されている、請求項３記載の電子弁。
【請求項６】
前記スリーブ（８）は、透磁性材料から形成されている、請求項３記載の電子弁。
【請求項７】
前記弁コアの移動によって生じる高圧または真空を除去するために、前記上側軸受（２２）および／または前記下側軸受（２３）に溝および／または通気孔が設けられている、請求項３記載の電子弁。
【請求項８】
前記電子弁（１）は、パルスエネルギを吸収する電子構成部材（９）をさらに備える、請求項３記載の電子弁。
【請求項９】
前記パルスエネルギを吸収する電子構成部材（９）は、ダイオードである、請求項８記載の電子弁。
【請求項１０】
前記電子弁は、過給式エンジンの圧縮ガスバイパス弁として使用される、請求項３記載の電子弁。
【発明の詳細な説明】
【技術分野】
【０００１】
本発明は、機械の分野、特に電子弁用の弁コアに関し、および弁コアを有する電子弁に関する。
【背景技術】
【０００２】
現在、多数の真空弁が自動車の技術分野で使用されている。これらの真空弁は、サイズが大きいことのみならず、真空管路および弁ゲートなどの所要の補機のために複雑な構造も有するという欠点を有している。電子弁は、真空弁と比較して、比較的単純な構造およびより小さなサイズを有するために利点を有している。しかしながら、従来技術では、可動子を使用し、弁ヘッドを駆動して移動させるために、弁ヘッドと可動子とは通常は直接的に接続されている。このため、可動子の形状などの加工特徴に対する要求が高くなり、可動子加工コストを増大させる。
【発明の概要】
【発明が解決しようとする課題】
【０００３】
本発明によって解決される課題は、電子弁用の弁コア、および弁コアを有する電子弁を提供することであり、本発明の弁コアおよび電子弁は、構造が単純であり、コストを節約する。
【課題を解決するための手段】
【０００４】
本発明は、電子弁用の弁コアを提供し、弁コアは、弁ヘッドと、可動子とを備え、弁ヘッドおよび可動子はガイドロッドによって互いに接続されている。
【０００５】
本発明は、電子弁であって、本発明によって提供された弁コアを備え、電子弁はさらに、上側ステータおよび下側ステータと、ガイドロッドを案内するための上側軸受および下側軸受と、弁ヘッドを付勢する弾性構成部材と、可動子の周囲を包囲するスリーブと、スリーブを少なくとも部分的に包囲するボビンと、ボビンに巻き付けられたコイルとを有する、電子弁も提供する。
【０００６】
本発明の電子弁は、過給式エンジンの圧縮ガスバイパス弁として使用されてもよい。
【０００７】
従来技術と比較して、本発明の弁コアおよび電子弁は以下の利点を有している。本発明の弁コアおよび電子弁では、弁ヘッドおよび可動子がガイドロッドによって接続されており、弁ヘッドおよび可動子が直接的に接続される必要がないので、可動子の形状などの加工特徴に対する要求が低下し、これにより、可動子加工コストが低下する。
【図面の簡単な説明】
【０００８】
【図１】本発明による電子弁を有する過給式エンジンの圧縮ガス逆流管路の配列の構造を示している。
【図２】本発明の１つの実施の形態による電子弁の断面図を概略的に示している。
【図３】図２に示した電子弁の様々な構成部材の分解図を概略的に示している。
【図４】図２に示した電子弁の一部を概略的に示している。
【図５Ａ】図２に示した電子弁の部分を概略的に示している。
【図５Ｂ】図２に示した電子弁の部分を概略的に示している。
【図６Ａ】本発明の別の実施の形態による電子弁の部分を概略的に示している。
【図６Ｂ】本発明の別の実施の形態による電子弁の部分を概略的に示している。
【図７】本発明の別の実施の形態による電子弁の部分を概略的に示している。
【図８Ａ】本発明の１つの実施の形態による電子弁における、溝が設けられた上側軸受を示している。
【図８Ｂ】本発明の１つの実施の形態による電子弁における、通気孔が設けられた上側軸受を示している。
【図９Ａ】本発明の１つの実施の形態による電子弁における、溝が設けられた下側軸受を示している。
【図９Ｂ】本発明の１つの実施の形態による電子弁における、通気孔が設けられた下側軸受を示している。
【発明を実施するための形態】
【０００９】
本発明の実施の形態による、電子弁用の弁コア、および弁コアを有する電子弁が、添付の図面を参照しながら以下に説明されている。以下の説明では、当業者に本発明のより包括的な理解を提供するために、多くの具体的な詳細が説明されている。しかしながら、本発明の実施はこれらの具体的な詳細のうちの幾つかを省略してもよいことが当業者には明らかになるであろう。さらに、本発明は、紹介された特定の実施の形態に限定されないことを理解すべきである。反対に、本発明を実施するために、以下の特徴および重要な要素の任意の組合せを、それらが異なる実施の形態に関するか否かにかかわらず使用することが可能である。つまり、以下の態様、特徴、実施の形態および利点は例示的な目的を果たすだけであり、請求項に明らかに言及されていない限り、請求項の重要な要素または限定とみなされるべきではない。
【００１０】
過給式エンジン、すなわち過給機を備えるエンジンは、エネルギ効率を高めるために現代の自動車において益々利用されるようになっている。過給式エンジンでは、排ガスが過給機の（排ガス管路に配置された）タービンを駆動し、同時に、タービンに接続された空気圧縮機が、流入する空気を圧縮するために使用される。圧縮された空気（以下では圧縮空気と省略する）は、圧縮空気中間冷却器を介してスロットルバルブに達し、次いで、燃焼を生じさせるためにエンジンのシリンダに進入する。
【００１１】
図１は、本発明による電子弁を有する過給式エンジンの圧縮ガス逆流管路の配列の構造を示している。本発明によれば、空気圧縮機と並列に接続された圧縮ガス逆流管路が、圧縮空気中間冷却器の上流に設けられており、圧縮ガスは、空気圧縮機の出口から空気圧縮機の入口へ流れ戻ることができる。圧縮ガスの逆流は、ガス流におけるサージを防止することができ、これにより、サージフラッタによって生じるタービンブレードに対する損傷を防止する。さらに、圧縮ガスの逆流は、加速中のタービンラグを減じかつスロットルを保護するためにタービンを回転させ続けることもできる。
【００１２】
図１に示したように、電子弁が圧縮ガス逆流管路に設けられており、電子弁は、過給式エンジンの圧縮ガスバイパス弁として使用されている。圧縮ガスバイパス弁が通電されていないとき、圧縮ガスバイパス弁は逆流管路を閉鎖させる。この場合、圧縮ガスは、圧縮空気中間冷却器、スロットルおよび吸気マニホールドを通じてエンジンシリンダに進入する。圧縮ガスバイパス弁が通電されると、圧縮ガスバイパス弁は逆流管路を開放させ、これにより、圧縮空気は、圧縮ガスバイパス弁を通って空気圧縮機のガス吸入端部へ流れ戻ることができる。
【００１３】
図２および図３は、本発明の１つの実施の形態による電子弁の断面図および分解された構成部材の図をそれぞれ概略的に示しており、電子弁は、特に、図１に示した圧縮ガスバイパス弁として使用することができる。図２および図３が示すように、電子弁１は、可動な弁コアと、可動な弁コアを付勢する弾性構成部材４（ばねなど）とを有しており、可動な弁コアは、弁ヘッド２と、可動子３と、ガイドロッド７とを有する。選択的な実施の形態では、可動子３は円筒状であってもよく、弁ヘッド２および可動子３は、直接浮動接続されていてもよい。しかしながら、図２および図３に示した本発明の好適な実施の形態では、弁ヘッド２と可動子３とは、ガイドロッド７によって互いに接続されていてもよい。弁ヘッド２および可動子３がガイドロッド７によって接続されており、弁ヘッド２および可動子３が直接的に接続される必要がないので、可動子の形状などの加工特徴に対する要求が低減される。例えば、通常の円筒状の可動子が使用されてもよく、これにより、可動子加工コストが低下する。
【００１４】
図２および図３は、さらに、電子弁１が、電子弁１の磁力を強化する複数のステータ、例えば、可動子３の上方に配置された上側ステータ１０、および可動子の周囲に配置された環状の下側ステータ１１であって、各ステータは透磁性材料から形成されていてもよい、複数のステータと、ガイドロッド７を案内する上側軸受２２および下側軸受２３と、可動子３の周囲を包囲するスリーブ８であって、スリーブ８は、主に可動子の移動を案内するためではなく、電子弁の電磁力性能を高めるために使用され、すなわち、スリーブ８は可動子３と接触する必要はない、スリーブ８と、スリーブ８を少なくとも部分的に包囲するボビン５と、ボビン５に巻き付けられたコイル６と、を有することを示している。ガイドロッド７は、上側軸受および下側軸受内で移動し、このような構造は、より優れた耐摩耗性を有する。さらに、ガイドロッド７は、弁ヘッドおよび可動子の移動を案内するために軸受によって案内され、例えばスリーブによって直接的に可動子を案内する必要はないので、可動子の表面に特別の加工を施す必要がなく、可動子表面品質に対する要求が低下し、これにより、可動子加工コストが低下する。
【００１５】
好適には、ガイドロッド７および可動子３は、締りばめによって互いに接合されており、これにより、可動子およびガイドロッドを固定している。
【００１６】
好適には、上側軸受２２は上側ステータ１０と締りばめ接続されているのに対し、下側軸受２３はスリーブ８と締りばめ接続されており、これにより、上側軸受と下側軸受とを固定している。
【００１７】
好適には、スリーブ８は透磁性材料から形成されていてもよく、これにより、電子弁の電磁力性能が著しく高まる。
【００１８】
好適には、ボビン５は、射出成形によって形成されていてもよい。複数の環状のリブ、好適には２つの環状のリブがボビン５に設けられていてもよく、これにより、プラスチックの射出成形中にプラスチックが間隙を充填すること（弁故障につながる）を防止する。
【００１９】
図２および図３はさらに、電子弁１が、コイル６を包囲するハウジング１６、ハウジング１６を包囲する外側封入エレメント１７、および弁ヘッド２の周囲のシールド１８をも有することを示している。好適には、ハウジング１６は、磁力を強化するために透磁性材料から形成されており、コイル６とともに、完全に閉鎖されたコイル構造を形成している。Ｏリング１９などの封止のためのシーリングエレメントが、外側封入エレメント１７とシールド１８との間に設けられている。Ｖ字形リング２１などのシーリングエレメントが、シールド１８と弁ヘッド２との間に設けられている。
【００２０】
図２および図３はさらに、電子弁１が、パルスエネルギを吸収する電子構成部材９を有してもよいことを示している。電子構成部材９の提供は、外部電圧の突然の変化、例えばパルスなどによる損傷から、弁体を保護することができる。さらに、電子構成部材９は、弁体によって生じたエネルギを吸収してもよく、顧客電源端部を損傷から保護する。パルスエネルギを吸収するこのような電子構成部材は、ダイオードなどの当業者に公知の様々な電子構成部材であってもよく、したがって、様々な顧客要求に適合するように、電子弁１製品に多様性を付与することができる。
【００２１】
本発明をより明らかに説明するために、図４、図５Ａおよび図５Ｂは、図２に示した電子弁の様々な部分を示すことに焦点を合わせている。図４は、可動子３とガイドロッド７との接続を示している。上側軸受２２および下側軸受２３の案内効果によって鉛直方向でのガイドロッド７の移動が達成されるように、ガイドロッド７の２つの端部が上側軸受２２および下側軸受２３内で摺動することが図２および図４から明らかに分かる。通電されると、コイル６が磁界を発生し、可動子３を駆動して移動させ、これにより、ガイドロッド７が弁ヘッド２を駆動して移動させることによって弁の開閉が達成される。２つの軸受が使用されているので、ガイドロッド７はより良好に案内される。好適には、上側軸受２２および下側軸受２３は、構成部材の精度および耐摩耗性を高めるために、銅ベースの粉末冶金学的元素から形成されていてもよい。
【００２２】
図５Ａおよび図５Ｂは、ガイドロッド７と弁ヘッド２との接続を示している。ガイドロッド７は、固定部材２４によって弁ヘッド２に接続されている。固定部材２４は、例えば溶接または締りばめ接続によって、ガイドロッド７に固定されて接続されている。弁コアの移動によって生じる高圧または真空を除去するために、弁ヘッド２が通気孔３０を有してもよいことが図５Ａから分かる。１つまたは複数の通気孔３０が設けられていてもよい。例えば３つの通気孔３０が弁ヘッド２に設けられていてもよいことが図３から分かる。ガイドロッド７の軸方向では、弁ヘッド２と固定部材２４との間に所定の間隙（図５Ｂにおける領域Ｃ）が残されている一方、ガイドロッド７の半径方向では、弁ヘッド２とガイドロッド７との間に所定の間隙（図５Ｂにおける領域Ｄ）が残されており、これにより、弁ヘッド２の浮動性の要求を満たし、すなわち、弁ヘッド２を所定の角度だけ左右に浮動させることができることが、図５Ａおよび図５Ｂから明らかに分かる。
【００２３】
図６Ａ、図６Ｂおよび図７は、本発明の別の実施の形態による電子弁の部分的な概略図を示している。弁コアの移動によって生じる高圧または真空を除去するために、弁ヘッド２が通気孔３１を有してもよいことが図６Ａから分かる。ガイドロッド７がスナップリング２５によって弁ヘッド２に接続されていてもよく、スナップリング２５は弁ヘッド２に射出成形されていることが、図６Ａ、図６Ｂおよび図７から分かる。弁ヘッド２は、開口を有するプレート状部分を有しており、ガイドロッド７には、先端部と本体部との間にこれらよりも小径の小径部が形成されており、該先端部と該小径部の少なくとも一部が、弁ヘッド２の開口を通って該本体部とは反対側に突出していることが、図６Ａおよび図６Ｂから分かる。ガイドロッド７の軸方向およびガイドロッド７の半径方向の両方においてスナップリング２５とガイドロッド７との間に所定の間隙（図６Ｂにおける領域Ｅおよび領域Ｆ）が残されていることが、図６Ｂから分かる。スナップリング２５の弾性、およびスナップリング２５自体とガイドロッド７との間に残された間隙とは、弁ヘッド２の浮動性の要求を満たすことができる。好適には、スナップリング２５は、耐摩耗性をより高めるために、鋼材料から形成されていてもよい。さらに、構成部材精度を高めかつ組立てプロセスをより単純にするために、スナップリング２５と弁ヘッド２とが一体的に射出成形された配列が使用されてもよい。
【００２４】
本発明では、図４が示すように、可動子３を備えるガイドロッド７の上下移動の間、２つの空気キャビティが電子弁の位置ＡおよびＢに形成される。ガイドロッド７および可動子３の移動により、これらの２つのキャビティに高圧または真空が生じ、これにより、ヒステリシスが生じかつ弁本体の開閉を減速させる。このような不都合な効果を排除するために、好適には、溝または通気孔が上側軸受２２および下側軸受２３に設けられていてもよい。例えば、図８Ａおよび図８Ｂは、溝および通気孔がそれぞれ設けられた上側軸受を示しているのに対し、図９Ａおよび図９Ｂは、溝および通気孔がそれぞれ設けられた下側軸受を示している。弁コアの移動により生じる高圧または真空を最適に除去するために、溝または通気孔の形状およびサイズを特定の要求に従って設定することができることを当業者は理解することができる。好適には、溝は、直接成形法によって上側軸受および下側軸受に設けられてもよい。さらに、軸受内の溝または通気孔の提供は、エレメント重量を低減しかつコストを節約する助けにもなる。
【００２５】
電子弁１の電源がオフにされると、重力および弾性構成部材４の作用により弁ヘッド２は弁座（図示せず）上へ押し下げられ、これにより、ガス通路を閉鎖する。電子弁１が通電されると、上側ステータ１０、下側ステータ１１および可動子３によって磁気回路が形成される。コイル６によって生じる電磁力の作用により、可動子３は上方へ移動し、ひいては弁ヘッド２を駆動してガイドロッド７によって上昇させ、電子弁１を開放させ、これにより、ガス通路を開放する。
【００２６】
本発明は好適な実施の形態によって上記に開示されているが、本発明はこれに限定されない。あらゆる当業者によって本発明の思想および範囲から逸脱することなくなされる全ての種類の変更および補正が、本発明の保護範囲に含まれるべきである。したがって、請求項によって規定される範囲は、本発明の保護範囲とみなされるべきである。
【図１】
0006615182.tif 000002
【図２】
0006615182.tif 000003
【図３】
0006615182.tif 000004
【図４】
0006615182.tif 000005
【図５Ａ】
0006615182.tif 000006
【図５Ｂ】
0006615182.tif 000007
【図６Ａ】
0006615182.tif 000008
【図６Ｂ】
0006615182.tif 000009
【図７】
0006615182.tif 000010
【図８Ａ】
0006615182.tif 000011
【図８Ｂ】
0006615182.tif 000012
【図９Ａ】
0006615182.tif 000013
【図９Ｂ】
0006615182.tif 000014